(57)【要約】【課題】  サイズが小型化され携帯用電子機器を設計する際に空間を効率よく配置できる機能選択スイッチを備えたスクロールキーが提供される。【解決手段】  本発明に係る機能選択スイッチを備えたスクロールキーは、特定機能の回路が構成された回路基板と、回転中心軸が前記回路基板と平行に前記回路基板に設置される垂直形回転スイッチと、前記垂直形回転スイッチの回転中心軸と同一線上に位置するよう前記回路基板に設置される第１タクトスイッチ及び第２タクトスイッチと、前記回転スイッチと第１タクトスイッチの間に前記回路基板に対して垂直方向で回転するよう設置され、前記回転スイッチを回転させ前記第１タクトスイッチを押す回転ノブと、前記第２タクトスイッチを押すよう前記回路基板に設置されるボタンとを含む。【選択図】      図２
2005259137.tif 000002
【特許請求の範囲】
【請求項１】
特定機能の回路が構成された回路基板と、
回転中心軸が前記回路基板と平行に前記回路基板に設置される垂直形回転スイッチと、
前記垂直形回転スイッチの回転中心軸と同一線上に位置するように前記回路基板に設置される第１タクトスイッチ及び第２タクトスイッチと、
前記回転スイッチと第１タクトスイッチの間に前記回路基板に対して垂直方向で回転するように設置され、前記回転スイッチを回転させて前記第１タクトスイッチを押す回転ノブと、
前記第２タクトスイッチを押すように前記回路基板に設置されるボタンとを含むことを特徴とする機能選択スイッチを備えたスクロールキー。
【請求項２】
前記ボタンの一側には、前記回路基板に固定され、前記回転ノブの回転運動と上下移動を案内することができる案内部が形成されたことを特徴とする請求項１記載の機能選択スイッチを備えたスクロールキー。
【請求項３】
前記ボタンの案内部は、下部に形成された固定突起を利用して前記回路基板に溶着させて固定することを特徴とする請求項２記載の機能選択スイッチを備えたスクロールキー。
【請求項４】
ベース板と、
前記ベース板の上側に置かれ、特定機能の回路が構成されたＦＰＣと、
回転中心軸が前記ベース板と平行に前記ＦＰＣに設置される垂直形回転スイッチと、
前記回転スイッチを回転させるように一端が前記回転スイッチの回転中心軸に設置され、他端には回転軸が突設された回転ノブと、
前記回転ノブの回転軸の下側に位置するように前記ＦＰＣに設置された第１タクトスイッチと、
前記第１タクトスイッチの上側で前記回転軸の回転を支持すると共に前記回転軸が前記第１タクトスイッチを押すように前記ＦＰＣに設置されるホルダーと、
前記第１タクトスイッチと同一線上に位置するよう前記ＦＰＣに設置される第２タクトスイッチと、
前記第２タクトスイッチを押すように前記ＦＰＣに設置されるボタンとを含むことを特徴とする機能選択スイッチを備えたスクロールキー。
【請求項５】
前記ボタンは、前記ホルダーと前記回転ノブの間で前記ＦＰＣに固定される固定部と前記固定部から延長されて前記第２タクトスイッチを押すように形成された押し部を含むことを特徴とする請求項４記載の機能選択スイッチを備えたスクロールキー。
【請求項６】
前記ホルダーと前記ボタンの固定部は、各々その下面に形成された固定突起が前記ＦＰＣとベース板に貫通挿入された後、前記ベース板に溶着されることにより固定されることを特徴とする請求項５記載の機能選択スイッチを備えたスクロールキー。
【請求項７】
前記垂直形回転スイッチの中心には多角形の貫通孔が形成されて、前記回転ノブの一端には前記貫通孔に対応する回転軸が形成されることを特徴とする請求項１記載の機能選択スイッチを備えたスクロールキー。
【請求項８】
前記垂直形回転スイッチの貫通孔は、６角形であることを特徴とする請求項７記載の機能選択スイッチを備えたスクロールキー。
【請求項９】
前記第２タクトスイッチは所定の２個の機能のうち一つの機能が選択できる機能選択スイッチであり、前記垂直形回転スイッチは前記第２タクトスイッチにより選択された所定のスクロール機能を実行し、前記第１タクトスイッチは前記垂直形回転スイッチによりスクロールされるメニューのうち一つを選択することができるエンター機能を行うように配置されることを特徴とする請求項１記載の機能選択スイッチを備えたスクロールキー。
【発明の詳細な説明】
【技術分野】
【０００１】
本発明は、携帯用電子機器に使われて多様なメニュー等をスクロールすることのようにスクロール機能を実行することができるスクロールキーに関し、より詳しくは、メニューをスクロールすると同時にスクロールキーが他の機能のスクロールも実行できるようにスクロールされる機能を選択することができる機能選択スイッチが一体に備えられた機能選択スイッチを備えたスクロールキーに関する。
【背景技術】
【０００２】
カムコーダのような携帯用電子機器は、ディスプレーパネルにディスプレーされる多様な機能を実行ことができるメニューのうち一つのメニューが選択できるようにするため、一般的にメニューが選択できるカーソルをディスプレーされた画面上で移動させることができるスクロ−ル機能とカーソルが位置した特定メニューを選択するようにする選択機能を備えるスクロールキーを具備している。
【０００３】
また、このようなスクロ−ルキ-が２種の特定機能が実行できるようにするため、機能を選択することのできる機能選択スイッチを組み合わせて使用する場合もある。係るスクロールキーと機能選択スイッチが組合されたスイッチ組立体の一例が図１に示されている。
【０００４】
図１は、従来技術に係るスクロールキーに機能選択スイッチを組み合わせたスイッチ組立体を示す図である。図１に示したように、従来技術によるスクロールキーを持つスイッチ組立体１は、所定の機能を実行する回路が形成された回路基板３と、スクロ−ル機能と選択機能を共に持つスクロールキースイッチ１０と、別の機能に切り替えることができる機能選択スイッチであるタクトスイッチ２０と、タクトスイッチ２０を押すためのボタン２１とを含んでいる。
【０００５】
スクロールキースイッチ１０は、中心軸１２を中心に回転すると同時に中心軸方向へ所定距離が押される回転ノブ１１と、回転ノブ１１の回転を支持して回転ノブ１１の回転によるスクロール機能と、回転ノブ１１の中心軸方向への押されにより選択機能を実行するボディー部１３で構成される。そして、前記スクロールキースイッチ１０は、回転ノブ１１が回路基板３と平行な方向へ回転できるように、即ち、スクロールキースイッチ１０の回転中心軸１２が回路基板３と垂直になるように回路基板３に設置される。
【０００６】
タクトスイッチ２０はスクロールキースイッチ１０の下側へ回路基板３に固定され、タクトスイッチ２０を押すボタン２１は外部ケース４０などのようにスイッチ組立体１が設置される所の上側に位置する部品にボタン２１の下部がタクトスイッチ２０を押すよう別に固定される。図１で、未説明符号３０は、スイッチ組立体１を未図示されたカムコーダ等の携帯用電子機器の制御部と連結するコネクターである。
【０００７】
前記のような構成を持つスクロールキーを持つスイッチ組立体の動作について説明すると次のようである。
【０００８】
まず、スクロールキーを持つスイッチ組立体１がカムコーダでレンズの焦点を手動で調節することができる手動焦点キーと、ディスプレーパネルにディスプレーされる画面でメニューを選択することができるメニュー選択キーで使われると仮定する。
【０００９】
ユーザがカムコーダレンズの焦点を手動で調節したい場合はボタン２１を押す。そのようにすると、スクロールキースイッチ１０はカムコーダのレンズ焦点を調節することができる手動焦点キーで制御部に認識される。したがって、ユーザがスクロールキースイッチ１０の回転ノブ１１を上下で回すことによりレンズの焦点が合わせられる。
【００１０】
また、ユーザがディスプレーパネル上にディスプレーされたメニュー画面で特定メニューを選択したい場合は再度ボタン２１を押す。そうすると、制御部はスクロールキースイッチ１０をメニュー選択カーソルを移動させるメニュー選択キーで認識するようになる。したがって、ユーザがスクロールキースイッチ１０の回転ノブ１１を回すと、ディスプレーパネルに表示されるメニュー選択カーソルが一つのメニューから他のメニューへ移動する。メニュー選択カーソルの移動方向は回転ノブ１１を回す方向によって決定される。また、特定メニューを選択するためには、回転ノブ１１を回してメニュー選択カーソルを希望するメニューの上に位置させた後、回転ノブ１１を押せば選択機能が実行されることにより、メニューの選択が可能になる。即ち、ボタン２１を押して希望する機能を選択すると、スクロールキースイッチ１０はその機能に対応するスクロール機能を実行できる。
【００１１】
しかし、このような従来のスクロールキーを持つスイッチ組立体１は、スクロールキースイッチ１０の回転ノブ１１が回路基板３と平行に組み立てられ、タクトスイッチ２０を押すことができるボタン２１が別の部品に組み立てられる必要があるので、適用される携帯用電子機器を小型化するためには数多くの限界がある。
【００１２】
また、タクトスイッチ２０を押すボタン２１が別の部品に設置されなければならないので、空間配置が非効率的であり、且つ組立性が悪い問題を抱えている。
【発明の開示】
【発明が解決しようとする課題】
【００１３】
本発明は、上述したような従来技術の問題点を解決するためになされたもので、その目的は、回転ノブが回路基板に対して垂直に回転するように配置し、機能選択のためのタクトスイッチを回転ノブと同一線上に配置して一体で構成することにより、小型化された機能選択スイッチを備えたスクロールキーを提供することにある。
【００１４】
また、本発明の他の目的は、タクトスイッチを押すボタンを一体で構成することにより、携帯用電子機器の設計時に効率的な空間配置が可能で、組立性が良い機能選択スイッチを備えたスクロールキーを提供することにある。
【課題を解決するための手段】
【００１５】
前記目的を達成するための本発明による機能選択スイッチを備えたスクロールキーは、特定機能の回路が構成された回路基板と、回転中心軸が前記回路基板と平行に前記回路基板に設置される垂直形回転スイッチと、前記垂直形回転スイッチの回転中心軸と同一線上に位置するように前記回路基板に設置される第１タクトスイッチ及び第２タクトスイッチと、前記回転スイッチと第１タクトスイッチの間に前記回路基板に対して垂直方向で回転するように設置され、前記回転スイッチを回転させて前記第１タクトスイッチを押す回転ノブと、前記第２タクトスイッチを押すように前記回路基板に設置されるボタンとを含むことを特徴とする。
【００１６】
好ましくは、前記ボタンの一側には、前記回路基板に固定され、前記回転ノブの回転運動と上下移動を案内することができる案内部が形成される。
【００１７】
好ましくは、前記ボタンの案内部は、下部に形成された固定突起を利用して前記回路基板に溶着させて固定する。
【００１８】
本発明の他の特徴よると、ベース板と、前記ベース板の上側に置かれ、特定機能の回路が構成されたＦＰＣと、回転中心軸が前記ベース板と平行に前記ＦＰＣに設置される垂直形回転スイッチと、前記回転スイッチを回転させるように一端が前記回転スイッチの回転中心軸に設置されて、他端には回転軸が突設された回転ノブと、前記回転ノブの回転軸の下側に位置するように前記ＦＰＣに設置された第１タクトスイッチと、前記第１タクトスイッチの上側で前記回転軸の回転を支持すると同時に前記回転軸が前記第１タクトスイッチを押すように前記ＦＰＣに設置されるホルダーと、前記第１タクトスイッチと同一線上に位置するように前記ＦＰＣに設置される第２タクトスイッチと、前記第２タクトスイッチを押すように前記ＦＰＣに設置されるボタンとを含む。
【００１９】
好ましくは、前記ボタンは、前記ホルダーと前記回転ノブの間で前記ＦＰＣに固定される固定部と前記固定部から延長されて前記第２タクトスイッチを押すように形成される。
【００２０】
好ましくは、前記ホルダーと前記ボタンの固定部は、各々その下面に形成された固定突起が前記ＦＰＣとベース板に貫通挿入された後に前記ベース板に溶着されることにより固定される。
【００２１】
好ましくは、前記垂直形回転スイッチの中心には多角形の貫通孔が形成されて、前記回転ノブの一端には前記貫通孔に対応する回転軸が形成される。この時、垂直形回転スイッチの貫通孔は、６角形であることが好ましい。
【００２２】
好ましくは、前記第２タクトスイッチは所定の２個の機能のうち一つの機能が選択できる機能選択スイッチであり、前記垂直形回転スイッチは前記第２タクトスイッチにより選択された所定のスクロール機能を実行し、前記第１タクトスイッチは前記垂直形回転スイッチによりスクロールされるメニューのうち一つを選択することができるエンター機能を実行するよう配置される。
【発明の効果】
【００２３】
本発明によると、回転ノブが回路基板に対して垂直に回転するように配置され、機能選択のためのタクトスイッチが回転ノブと同一線上に配置されてベース板に一体に構成されることにより、小型化された機能選択スイッチを備えたスクロールキーを提供することができる。
【００２４】
また、本発明による機能選択スイッチを備えたスクロ−ルキ-によると、タクトスイッチを押すボタンがタクトスイッチと一体に構成されることにより、携帯用電子機器の設計時に空間配置を効率的に実施できると同時に組立性も向上される。
【発明を実施するための最良の形態】
【００２５】
以下、添付の図面を参照して本発明に係る機能選択スイッチを備えたスクロールキーの一実施例について詳しく説明する。
【実施例１】
【００２６】
図２は本発明による機能選択スイッチを備えたスクロールキーの一実施例を示す斜視図であり、図３は図２のスクロールキーの分離斜視図である。図４は図２の機能選択スイッチを備えたスクロールキーの回転ノブを示す図である。
【００２７】
図２及び図３に示したように、本発明による機能選択スイッチを備えたスクロールキー１００は、ベース板１１０と、ＦＰＣ(可撓性印刷回路基板)１２０と、垂直形回転スイッチ１３０と、垂直形回転スイッチ１３０を回す回転ノブ１４０と、回転ノブ１４０により押される第１タクトスイッチ１５０と、回転ノブ１４０の回転を支持するホルダー１６０と、機能選択スイッチである第２タクトスイッチ１７０と、第２タクトスイッチ１７０を押すボタン１８０とを含んでなる。
【００２８】
ベース板１１０は、機能選択スイッチを備えたスクロールキー１００の基体の役割をし、剛性のある材質から成形される。また、携帯用電子機器等に固定される固定孔等が形成されている。
【００２９】
ＦＰＣ１２０は、柔軟性のある材質に特定機能が実行できる回路が形成されており、上述したベース板１１０の上に組み立てられる。また、ＦＰＣ１２０上には垂直形回転スイッチ１３０と第１タクトスイッチ１５０及び第２タクトスイッチ１７０が同一直線上に組み立てられている。
【００３０】
垂直形回転スイッチ１３０は、スクロール機能を実行するもので、その回転中心軸がＦＰＣ１２０の表面と平行を成すようにＦＰＣ１２０上に結合されている。回転ノブ１４０との結合のために垂直形回転スイッチ１３０はその中心部に多角形の貫通孔１３１が形成されている。この時、多角形貫通孔１３１は、６角形で形成することが好ましい。また、スクロール機能を実行するスイッチ部分は、一般的にスクロール機能のために使われるスイッチと同一な構成を持つので詳細な説明は省略する。
【００３１】
図４に示されるように、回転ノブ１４０は、中央のボディー１４１と、ボディー１４１の両側で突設された２個の回転軸１４３、１４５から構成される。垂直形回転スイッチ１３０と結合される回転軸１４３は、垂直形回転スイッチ１３０の多角形貫通孔１３１に対応する形象で成形される。本実施例では６角形の貫通孔に対応する６角形の断面を持つ６角形軸で成形される。回転ノブ１４０の他側の回転軸１４５は、ホルダー１６０によりボディー１４１の回転運動を支持するように円形断面を持つ円形軸で成形される。
【００３２】
第１タクトスイッチ１５０は、回転ノブ１４０の円形軸１４５の下側に位置するようＦＰＣ１２０上に組み立てられている。したがって、回転ノブ１４０が押されると、円形軸１４５により第１タクトスイッチ１５０が押されて動作するようになる。
【００３３】
ホルダー１６０は、第１タクトスイッチ１５０の上側で回転ノブ１４０の円形軸１４５の回転を支持すると同時に、回転ノブ１４０のボディー１４１が押されることによって円形軸１４５の上下移動を支持するよう形成され、その下部には固定突起１６５が形成されている。
【００３４】
図３に示されるように、ホルダー１６０は、ＦＰＣ１２０上に固定される脚部１６１と回転ノブ１４０の回転運動と上下運動を支持する案内部１６３で構成されて、脚部１６１の下部には固定突起１６５が形成される。また、ホルダー１６０が設置されるＦＰＣ１２０とベース板１１０には、各々固定突起１６５に対応するホルダー用貫通孔１２１が形成されている。したがって、ホルダー１６０の固定突起１６５をＦＰＣ１２０及びベース板１１０のホルダー用貫通孔１２１へ挿入させた後に固定突起１６５を溶着させると、ホルダー１６０が固定されると同時にＦＰＣ１２０もベース板１１０に固定される。
【００３５】
第２タクトスイッチ１７０は、回転ノブ１４０と第１タクトスイッチ１５０の一直線上に位置するようにＦＰＣ１２０上に設置されて、ベース板１１０に固定されるボタン１８０により押される。
【００３６】
ボタン１８０は、ベース板１１０に固定される固定部１８１と固定部１８１の上端で延長形成されて第２タクトスイッチ１７０を押す押し部１８２で構成される。ボタン１８０の固定部１８１は、機能選択スイッチを備えたスクロールキー１００を小型化させるために回転ノブ１４０とホルダー１６０の脚部１６１の間に設置できる形状で成形されて、押し部１８２はケース１０１(図６参照)などの外部へ露出してユーザが押すことができるタッチ源１８３と、タッチ源１８３が押されることによって第２タクトスイッチ１７０を押す突起１８４で構成される。
【００３７】
また、ボタンの固定部１８１の下部には固定突起１８５が形成されており、固定突起１８５が固定されるＦＰＣ１２０とベース板１１０が対応する位置には固定突起１８５に対応するボタン用貫通孔１２３が形成されている。したがって、ボタン１８０の固定突起１８５をＦＰＣ１２０とベース板１１０のボタン用貫通孔１２３へ挿入して溶着させると、ボタン１８０がベース板１１０に固定されると同時にＦＰＣ１２０もベース板１１０に固定される。
【００３８】
このように本発明による機能選択スイッチを備えたスクロールキー１００は、ベース板１１０に垂直形回転スイッチ１３０、第１及び第２タクトスイッチ１５０、１７０及び第２タクトスイッチ１７０を作動させるボタン１８０が一体に組み立てられているので、ベース板１１０を組立てることだけで携帯用電子機器に簡便に設置することができる。
【００３９】
以下、前記のように構成された本発明による機能選択スイッチを備えたスクロールキーの動作について添付図面に基づいて説明する。
【００４０】
図６は、本発明による機能選択スイッチを備えたスクロールキーが携帯用電子機器等に設置されたこと示す部分斜視図である。
【００４１】
図６に示されるように、携帯用電子機器のケース１０１の外部へ露出されるボタン１８０のタッチ源１８３が押されると、ボタンの固定部１８１の上端を地点として押し突起１８４が下側に移動しながら第２タクトスイッチ１７０を押す。その後、第２タクトスイッチ１７０は所定の信号を制御部(図示せず)へ送信するようになる。
【００４２】
回転ノブ１４０は、垂直形回転スイッチ１３０とホルダー１６０により両側の回転軸１４３、１４５が支持されているから円滑な回転が可能である。また、回転ノブ１４０は、両端支持になっているのでユーザの便宜性及び使われる装置のサイズ等を考慮して回転ノブ１４０のボディー１４１の長さを適切に調節することができる。また、回転ノブ１４０を押すと、第１タクトスイッチ１５０の上側に位置する回転軸１４５、即ち、円形軸が下側に移動するから第１タクトスイッチ１５０が押されるようになる。それでは、制御部は選択機能が実行されたと認識するようになる。
【００４３】
以下、前記のように構成されて動作する機能選択スイッチを備えたスクロールキー１００がカムコーダに設置されてカムコーダレンズの焦点を手動で調節することができる手動焦点キーとディスプレーパネルにディスプレーされる画面でメニューを選択することができるメニュー選択キーで使われる場合、スクロールキー１００の作用について説明する。
【００４４】
もし、ユーザがカムコーダレンズの焦点を手動で調節したい場合には、図６のように、カムコーダのケース１０１の外部へ露出したボタン１８０のタッチ源１８３を押す。垂直形回転スイッチ１３０は、カムコーダレンズの焦点を調節することができる手動焦点キーで制御部に認識される。したがって、ユーザが垂直形回転スイッチ１３０に組み立てられた回転ノブ１４０を回すことでレンズの焦点が合わせられる。
【００４５】
また、ユーザがディスプレーパネル上にディスプレーされたメニュー画面で特定メニューを選択したい場合には、再度ボタン１８０のタッチ源１８３を押す。制御部は垂直形回転スイッチ１３０をメニュー選択カーソルを移動させるメニュー選択キーとして認識する。したがって、ユーザが垂直形回転スイッチ１３０に組み立てられた回転ノブ１４０を回すと、ディスプレーパネルに表示される画面上に表示されるメニュー選択カーソルが一つのメニューから他のメニューへ移動するようになる。この時、メニュー選択カーソルの移動方向は回転ノブ１４０の回転方向によって決定される。
【００４６】
また、特定メニューを選択するためには、ユーザは回転ノブ１４０を回してメニュー選択カーソルを希望するメニューの上に位置させた後回転ノブ１４０を押すと、選択機能が実行されそのメニューを選択することができる。すなわち、ボタン１８０のタッチ源１８３を押して手動焦点機能とメニュ−選択機能の中で一つを選択することができ、回転ノブ１４０を回して選択された機能に対応するスクロール機能を実行することができる。
【００４７】
一方、図５には、本発明に係る機能選択スイッチを備えたスクロールキーの他の実施例が図示されている。
【００４８】
図５に示したように、本発明による機能選択スイッチを備えたスクロールキー２００は、回路基板２１０と、垂直形回転スイッチ１３０と、垂直形回転スイッチ１３０を回す回転ノブ１４０と、回転ノブ１４０により押される第１タクトスイッチ１５０と、機能選択スイッチである第２タクトスイッチ１７０と、回転ノブ１４０の回転を支持して第２タクトスイッチ１７０を押すホルダーボタン２２０とを含む。
【００４９】
回路基板２１０は、上述した実施例のベース板１１０とＦＰＣ１２０を一体に構成したもので、剛性のある一般的なＰＣＢ基板に所定の機能を実行する回路が形成されている。また、回路基板２１０上には垂直形回転スイッチ１３０と第１タクトスイッチ１５０及び第２タクトスイッチ１７０が同一直線上に組み立てられている。
【００５０】
ホルダーボタン２２０は、上述した実施例のホルダー１６０とボタン１８０が一体に形成されたもので、回転ノブ１４０の円形軸１４５の回転運動と上下移動を支持するように形成された案内部２２１と、案内部２２１が第１タクトスイッチ１５０上に位置するようにホルダーボタン２２０を回路基板２１０に固定する脚部２２２と、案内部２２１の反対側に形成されて第２タクトスイッチ１７０を押すように形成された押し部２２３で構成される。
【００５１】
また、脚部２２２の下部には、固定突起が形成されてホルダーボタン２２０を回路基板２１０に溶着させて設置することができる。または、ボルト等の一般的に電子部品を回路基板に固定するために使われる締結部材を利用してホルダーボタン２２０を回路基板２１０に固定することも可能である。上述した部分以外の垂直形回転スイッチ１３０、回転ノブ１４０、第１タクトスイッチ１５０及び第２タクトスイッチ１７０などの構造と動作は上述した第１実施例と同一であるので詳細な説明は省略する。
【００５２】
また、前記実施例では垂直形回転スイッチ１３０と第１及び第２タクトスイッチ１５０、１７０を別個のケーシングに収納されたスイッチを使うことにつき説明したが、各々のスイッチが一つのケーシングに収納されるよう本発明に係る機能選択スイッチを備えたスクロールキーを製造することもできることは当然である。
【００５３】
以上、本発明の好適な実施の形態について添付の図面を参照して詳細に説明したが、以上の説明及び添付図面における多くの特定詳細は本発明のより全般的理解のために提供されるだけ、これら特定事項が本発明の範囲内で所定の変形や変更が可能であることは、当該技術分野で通常の知識を有する者には自明なことであろう。
【図面の簡単な説明】
【００５４】
【図１】従来技術に係るスクロールキーに機能選択スイッチを組み合わせたスイッチ組立体を示す図である。
【図２】本発明に係る機能選択スイッチを備えたスクロールキーの一実施例を示す斜視図である。
【図３】図２の機能選択スイッチを備えたスクロールキーの分離斜視図である。
【図４】図２の機能選択スイッチを備えたスクロールキーの回転ノブを示す図である。
【図５】本発明に係る機能選択スイッチを備えたスクロールキーの他の実施例を示す斜視図である。
【図６】本発明に係る機能選択スイッチを備えたスクロールキーが携帯用電子機器等に設置された状態を示す部分斜視図である。
【符号の説明】
【００５５】
１      ハウジング
１００、２００  機能選択スイッチを備えたスクロールキー
１１０  ベース板
１２０  ＦＰＣ
１２１  ホルダー用貫通孔
１２３  ボタン用貫通孔
１３０  垂直形回転スイッチ
１４０  回転ノブ
１５０  第１タクトスイッチ
１６０  ホルダー
１６１  脚部
１６３  案内部
１７０  第２タクトスイッチ
１８０  ボタン
１８１  固定部
１８２  押し部
２１０  回路基板
２２０  ホルダーボタン
２２１  案内部
２２２  脚部
２２３  押し部
【図１】
2005259137.tif 000003
【図２】
2005259137.tif 000004
【図３】
2005259137.tif 000005
【図４】
2005259137.tif 000006
【図５】
2005259137.tif 000007
【図６】
2005259137.tif 000008